(57)【要約】  複数トラックが形成される光媒体を光学的に再生する光媒体再生装置であって、光媒体から戻る、ビームの断面を複数の領域に分割し、複数の領域のそれぞれの検出信号を形成する検出部と、複数の領域のそれぞれの検出信号が複数の適応イコライザユニットにそれぞれ入力され、複数の適応イコライザユニットの出力を演算して等化信号として出力する多入力適応イコライザ部と、等化信号について２値化処理を行って２値データを得る２値化部と、２値化部の２値検出結果に基づいて得られる等化目標信号と、多入力適応イコライザ部から出力される等化信号とから等化誤差を求め、該等化誤差を、適応イコライザユニットに適応等化のための制御信号として供給する等化誤差演算部とを有する光媒体再生装置光媒体再生装置である。図３
2014207972.tif 000002
【特許請求の範囲】
【請求項１】
複数トラックが形成される光媒体を光学的に再生する光媒体再生装置であって、
光媒体から戻る、ビームの断面を複数の領域に分割し、前記複数の領域のそれぞれの検出信号を形成する検出部と、
前記複数の領域のそれぞれの検出信号が複数の適応イコライザユニットにそれぞれ入力され、複数の前記適応イコライザユニットの出力を演算して等化信号として出力する多入力適応イコライザ部と、
前記等化信号について２値化処理を行って２値データを得る２値化部と、
前記２値化部の２値検出結果に基づいて得られる等化目標信号と、前記多入力適応イコライザ部から出力される等化信号とから等化誤差を求め、該等化誤差を、前記適応イコライザユニットに適応等化のための制御信号として供給する等化誤差演算部と
を有する光媒体再生装置。
【請求項２】
前記多入力適応イコライザ部は、前記複数の領域のそれぞれの検出信号についてパーシャルレスポンス等化処理を行い、
前記２値化部は、前記多入力適応イコライザ部の等化信号についての２値化処理として最尤復号処理を行い、
前記等化誤差演算部は、前記最尤復号による２値検出結果の畳込処理で得られる等化目標信号と、前記多入力適応イコライザ部から出力される等化信号とを用いた演算により等化誤差を求める請求項１に記載の光媒体再生装置。
【請求項３】
前記検出部は、前記複数の領域と対応して分割されたディテクタを有し、
前記光検出器から前記複数の領域の検出信号を取り出すようになされた請求項１に記載の光媒体再生装置。
【請求項４】
対物レンズを通過し、ディテクタに至る光路中に、前記複数の領域を分離するための光路変換素子を配置し、前記光路変換素子によって分離された複数のビームを異なるディテクタにそれぞれ入力する請求項１に記載の光媒体再生装置。
【請求項５】
前記ビームを断面方向に３以上に分割する請求項１記載の光媒体再生装置。
【請求項６】
前記光媒体は、ランドおよびグルーブが交互に形成されており、
前記ランドおよび前記グルーブの両方に情報を記録する請求項１記載の光媒体再生装置。
【請求項７】
複数トラックが形成される光媒体を光学的に再生する光媒体再生方法であって、
光媒体から戻る、ビームの断面を複数の領域に分割し、検出部によって前記複数の領域のそれぞれの検出信号を形成し、
前記複数の領域のそれぞれの検出信号を複数の適応イコライザユニットにそれぞれ入力し、複数の前記適応イコライザユニットの出力を演算して等化信号を形成し、
前記等化信号について２値化処理を行って２値データを得、
前記２値化処理の２値検出結果に基づいて得られる等化目標信号と、前記等化信号とから等化誤差を求め、該等化誤差を、前記適応イコライザユニットに適応等化のための制御信号として供給する
光媒体再生方法。
【発明の詳細な説明】
【技術分野】
【０００１】
本開示は、光ディスク等の光媒体を再生する光媒体再生装置および光媒体再生方法に関する。
【背景技術】
【０００２】
光ディスクの高密度化をはかる方法として、チャンネルビット長、すなわち、マーク長を短くし、線密度方向に高密度化をはかる方法と、もうひとつはトラックピッチを狭くする方法とがある。しかしながら、トラックピッチを狭くすると、隣接トラックからの情報の漏れ込み（隣接トラッククロストーク）が増大する。隣接トラッククロストーク（以下、単にクロストークと適宜称する）を低減するための方法が提案されている。【０００３】
例えば特許文献１には、再生対象のトラックと、その両側のトラックとのそれぞれの再生信号を適応イコライザユニットに供給し、適応イコライザユニットのタップ係数を制御することによって、クロストークを打ち消すことが記載されている。
【先行技術文献】
【特許文献】
【０００４】
【特許文献１】特開２０１２−０７９３８５号公報
【発明の概要】
【発明が解決しようとする課題】
【０００５】
特許文献１に記載のものは、再生対象のトラックと両側のトラックを同時に読み取るために、３個のビームを必要とする。３個のビームにより読み取られる再生信号の位相を合わせることが必要であった。１ビームが３個のトラックを順次再生し、再生信号を同時化することも可能である。同時化するためのメモリが必要となる。したがって、特許文献１に記載のものは、光ピックアップの構成が複雑となったり、位相合わせが複雑となったり、回路規模が大きくなる問題があった。【０００６】
したがって、本開示の目的は、一つのトラックの再生信号を使用してクロストークをキャンセルすることができ、上述した問題点を解決できる光媒体再生装置および光媒体再生方法を提供することにある。
【課題を解決するための手段】
【０００７】
上述の課題を解決するために、本開示は、複数トラックが形成される光媒体を光学的に再生する光媒体再生装置であって、
光媒体から戻る、ビームの断面を複数の領域に分割し、複数の領域のそれぞれの検出信号を形成する検出部と、
複数の領域のそれぞれの検出信号が複数の適応イコライザユニットにそれぞれ入力され、複数の適応イコライザユニットの出力を演算して等化信号として出力する多入力適応イコライザ部と、
等化信号について２値化処理を行って２値データを得る２値化部と、
２値化部の２値検出結果に基づいて得られる等化目標信号と、多入力適応イコライザ部から出力される等化信号とから等化誤差を求め、該等化誤差を、適応イコライザユニットに適応等化のための制御信号として供給する等化誤差演算部と
を有する光媒体再生装置である。
【発明の効果】
【０００８】
本開示によれば、再生対象のトラックの読み取り出力のみを使用してクロストークをキャンセルすることができる。したがって、読み取り用の３個のビームを使用することが不要で、さらに、１ビームで連続的に３本のトラックを再生し、メモリによって同時化することが不要である。したがって、光ピックアップの構成が複雑とならず、位相合わせが不要となり、メモリが増大しない利点がある。これにより、より簡易な構成で光ディスクの高密度化をはかることが可能である。なお、ここに記載された効果は必ずしも限定されるものではなく、本開示中に記載されたいずれかの効果であっても良い。
【図面の簡単な説明】
【０００９】
【図１】本開示の一実施の形態による光ディスク装置の構成を示すブロック図である。
【図２】本開示の一実施の形態における光ピックアップの構成を示す略線図である。
【図３】一実施の形態におけるデータ検出処理部の一例のブロック図である。
【図４】データ検出処理部における多入力適応イコライザの一例のブロック図である。
【図５】多入力適応イコライザの一例のブロック図である。
【図６】等化誤差演算器の一例のブロック図である。
【図７】領域分割の第１の例を説明するための略線図である。
【図８】２分割および３分割の例の再生性能を表すグラフである。
【図９】３分割および４分割の例の再生性能を表すグラフである。
【図１０】４分割、５分割および６分割の例の再生性能を表すグラフである。
【図１１】ディスクのタンジェンシャル方向のスキューに対するマージンを説明するためのグラフである。
【図１２】ディスクのラジアル方向のスキューに対するマージンを説明するためのグラフである。領域分割の第３の例と、再生性能を表すグラフである。
【図１３】領域分割の第２の例と、再生性能を表すグラフである。
【図１４】領域分割の第３の例と、再生性能を表すグラフである。
【図１５】領域分割の第４の例と、再生性能を表すグラフである。
【図１６】領域分割の第５の例と、再生性能を表すグラフである。
【図１７】領域分割の第６の例と、再生性能を表すグラフである。
【図１８】領域分割の第７の例と、再生性能を表すグラフである。
【図１９】領域分割の複数のパターンを示す略線図である。
【図２０】領域分割の複数のパターンの再生性能を表すグラフである。
【図２１】線密度を変化させた場合の再生性能を表すグラフである。
【図２２】線密度を変化させた場合の再生性能を表すグラフである。
【発明を実施するための形態】
【００１０】
以下に説明する実施の形態は、本開示の好適な具体例であり、技術的に好ましい種々の限定が付されている。しかしながら、本開示の範囲は、以下の説明において、特に本開示を限定する旨の記載がない限り、これらの実施の形態に限定されないものとする。
なお、本開示の説明は、下記の順序にしたがってなされる。
＜１．一実施の形態＞
＜２．変形例＞
【００１１】
＜１．一実施の形態＞
「光ディスク装置」
本開示を適用した光ディスク装置は、図１に示すように、光記録媒体としての光ディスク１００に対して情報の記録再生を行う光ピックアップ１０１と、光ディスク１００を回転させるスピンドルモータ１０２とを備える。光ピックアップ１０１を光ディスク１００の径方向に移動させるために、スレッド（送りモータ）１０３が設けられている。
【００１２】
光ディスク１００としては、ＢＤ（Blu-ray Disc（登録商標））等の高密度光ディスクを使用できる。ＢＤは、片面単層で約２５Ｇバイト、片面２層で約５０Ｇバイトの記録容量を有する高密度光ディスクである。ＢＤ規格では、ビームスポット径を小とするために、光源波長を４０５ｎｍとし、対物レンズの開口数ＮＡ(Numerical Aperture)を０．８５と大きくしている。ＣＤ規格では、光源波長：７８０ｎｍ、ＮＡ：０．４５、スポット径：２．１１μｍであり、ＤＶＤ規格では、光源波長：６５０ｎｍ、ＮＡ：０．６、スポット径：１．３２μｍである。ＢＤ規格では、スポット径を０．５８μｍまで絞ることができる。
【００１３】
さらに、近年、ＢＤ（Blu-ray Disc（登録商標））に対し、チャンネルビット長すなわちマーク長を短くし、線密度方向に高密度化をはかり、３層で１００GBおよび４層で１２８GBの大容量化を実現したＢＤＸＬ（登録商標）が実用化されている。
これに加え、さらなる記録容量の増大のためには、グルーブトラックおよびランドトラックの両方にデータを記録する方法（ランド／グルーブ記録方式と適宜称する）を採用する光ディスクが望ましい。なお、溝のことをグルーブと称し、グルーブにより形成されるトラックをグルーブトラックと称する。グルーブは、光ディスクを製造する時に、レーザ光によって照射される部分と定義され、隣接するグルーブ間に挟まれるエリアをランドと称し、ランドにより形成されるトラックをランドトラックと称する。さらに、複数の情報記録層が積層された多層光ディスクであれば、より記録容量を増加できる。
【００１４】
このような高密度記録可能な光ディスク１００が光ディスク装置に装填されると、記録／再生時においてスピンドルモータ１０２によって一定線速度（ＣＬＶ）または一定角速度（ＣＡＶ）で回転駆動される。再生時には、光ピックアップ（光学ヘッド）１０１によって光ディスク１００上のトラックに記録されたマーク情報の読出が行われる。光ディスク１００に対してのデータ記録時には、光ピックアップ１０１によって光ディスク１００上のトラックに、ユーザーデータがフェイズチェンジマークもしくは色素変化マークとして記録される。
【００１５】
記録可能型ディスクの場合、ウォブリンググルーブによって形成されるトラック上にはフェイズチェンジマークによるレコーディングマークが記録されるが、フェイズチェンジマークはＲＬＬ（１，７）ＰＰ変調方式（ＲＬＬ；Run Length Limited、ＰＰ：Parity preserve/Prohibit rmtr(repeated minimum transition runlength)）等により、１層あたり２３．３GBのＢＤの場合で線密度0.12μｍ/bit、0.08μｍ/channel bitで記録される。同様に、２５GB／層のＢＤの場合、0.0745μｍ/channel bit、３２GB／層のＢＤＸＬ（登録商標）の場合、0.05826μｍ/channel bit、３３．４GB／層のＢＤＸＬ（登録商標）の場合、0.05587μｍ/channel bitというように、ディスク種別に応じてチャンネルビット長に対応した密度での記録が行われる。チャネルクロック周期を「Ｔ」とすると、マーク長は２Ｔから８Ｔとなる。再生専用ディスクの場合、グルーブは形成されないが、同様にＲＬＬ（１，７）ＰＰ変調方式で変調されたデータがエンボスピット列として記録されている。
【００１６】
光ディスク１００の内周エリア等には、再生専用の管理情報として例えばディスクの物理情報等がエンボスピットまたはウォブリンググルーブによって記録される。これらの情報の読出も光ピックアップ１０１により行われる。さらに、光ピックアップ１０１によって光ディスク１００上のグルーブトラックのウォブリングとして埋め込まれたＡＤＩＰ情報の読み出しもおこなわれる。
【００１７】
光ピックアップ１０１内には、レーザ光源となるレーザダイオード、反射光を検出するためのフォトディテクタ、レーザ光の出力端となる対物レンズ、対物レンズを介してディスク記録面にレーザ光を照射し、またその反射光をフォトディテクタに導く光学系等が構成される。光ピックアップ１０１内において対物レンズは二軸機構によってトラッキング方向およびフォーカス方向に移動可能に保持されている。光ピックアップ１０１全体はスレッド機構１０３によりディスク半径方向に移動可能とされている。光ピックアップ１０１のレーザダイオードに対して、レーザドライバ１１３からの駆動電流が供給され、レーザダイオードがレーザを発生する。
【００１８】
光ディスク１００からの反射光がフォトディテクタによって検出され、受光光量に応じた電気信号とされてマトリクス回路１０４に供給される。マトリクス回路１０４には、フォトディテクタとしての複数の受光素子からの出力電流に対応して電流電圧変換回路、マトリクス演算／増幅回路等を備え、マトリクス演算処理により必要な信号を生成する。信号伝送品質を考慮し、電流電圧変換回路をフォトディテクタ素子内に形成するようにしてもよい。例えば再生データに相当する再生情報信号（ＲＦ信号）、サーボ制御のためのフォーカスエラー信号、トラッキングエラー信号などを生成する。さらに、グルーブのウォブリングに係る信号、すなわち、ウォブリングを検出する信号としてプッシュプル信号を生成する。
【００１９】
マトリクス回路１０４から出力される再生情報信号はデータ検出処理部１０５へ供給され、フォーカスエラー信号およびトラッキングエラー信号は光学ブロックサーボ回路１１１へ供給され、プッシュプル信号はウォブル信号処理回路１０６へ供給される。
【００２０】
データ検出処理部１０５は、再生情報信号の２値化処理を行う。例えばデータ検出処理部１０５では、ＲＦ信号のＡ／Ｄ変換処理、ＰＬＬによる再生クロック生成処理、ＰＲ（Partial Response）等化処理、ビタビ復号（最尤復号）等を行い、パーシャルレスポンス最尤復号処理（ＰＲＭＬ検出方式：Partial Response Maximum Likelihood検出方式）により、２値データ列を得る。データ検出処理部１０５は、光ディスク１００から読み出した情報としての２値データ列を、後段のエンコード／デコード部１０７に供給する。
【００２１】
エンコード／デコード部１０７は、再生時おける再生データの復調と、記録時における記録データの変調処理を行う。すなわち、再生時にはデータ復調、デインターリーブ、ＥＣＣデコード、アドレスデコード等を行い、記録時には、ＥＣＣエンコード、インターリーブ、データ変調等を行う。
【００２２】
再生時においては、データ検出処理部１０５で復号された２値データ列がエンコード／デコード部１０７に供給される。エンコード／デコード部１０７では、２値データ列に対する復調処理を行い、光ディスク１００からの再生データを得る。すなわち、例えばＲＬＬ（１，７）ＰＰ変調等のランレングスリミテッドコード変調が施されて光ディスク１００に記録されたデータに対しての復調処理と、エラー訂正を行うＥＣＣデコード処理を行って、光ディスク１００からの再生データを得る。
【００２３】
エンコード／デコード部１０７で再生データにまでデコードされたデータは、ホストインターフェース１０８に転送され、システムコントローラ１１０の指示に基づいてホスト機器２００に転送される。ホスト機器２００とは、例えばコンピュータ装置やＡＶ（Audio-Visual）システム機器などである。
【００２４】
光ディスク１００に対する記録／再生時には、ＡＤＩＰ情報の処理が行われる。すなわち、グルーブのウォブリングに係る信号としてマトリクス回路１０４から出力されるプッシュプル信号は、ウォブル信号処理回路１０６においてデジタル化されたウォブルデータとされる。ＰＬＬ処理によりプッシュプル信号に同期したクロックが生成される。ウォブルデータは、ＡＤＩＰ復調処理部１１６で、ＡＤＩＰアドレスを構成するデータストリームに復調されてアドレスデコーダ１０９に供給される。アドレスデコーダ１０９は、供給されるデータについてのデコードを行い、アドレス値を得て、システムコントローラ１１０に供給する。
【００２５】
記録時には、ホスト機器２００から記録データが転送されてくるが、その記録データはホストインターフェース１０８を介してエンコード／デコード部１０７に供給される。エンコード／デコード部１０７は、記録データのエンコード処理として、エラー訂正コード付加（ＥＣＣエンコード）やインターリーブ、サブコードの付加等を行う。これらの処理を施したデータに対して、ＲＬＬ（１−７）ＰＰ方式等のランレングスリミテッドコード変調を施す。
【００２６】
エンコード／デコード部１０７で処理された記録データは、ライトストラテジ部１１４に供給される。ライトストラテジ部１１４では、記録補償処理として、記録層の特性、レーザ光のスポット形状、記録線速度等に対するレーザ駆動パルス波形調整を行う。そして、レーザ駆動パルスをレーザドライバ１１３に出力する。
【００２７】
レーザドライバ１１３は、記録補償処理したレーザ駆動パルスに基づいて、光ピックアップ１０１内のレーザダイオードに電流を流し、レーザ発光を行う。これにより光ディスク１００に、記録データに応じたマークが形成されることになる。
【００２８】
光学ブロックサーボ回路１１１は、マトリクス回路１０４からのフォーカスエラー信号、トラッキングエラー信号から、フォーカス、トラッキング、スレッドの各種サーボドライブ信号を生成しサーボ動作を実行させる。すなわち、フォーカスエラー信号、トラッキングエラー信号に応じてフォーカスドライブ信号、トラッキングドライブ信号を生成し、ドライバ１１８により光ピックアップ１０１内の二軸機構のフォーカスコイル、トラッキングコイルを駆動することになる。これによって、光ピックアップ１０１、マトリクス回路１０４、光学ブロックサーボ回路１１１、ドライバ１１８、二軸機構によるトラッキングサーボループおよびフォーカスサーボループが形成される。
【００２９】
さらに、光学ブロックサーボ回路１１１は、システムコントローラ１１０からのトラックジャンプ指令に応じて、トラッキングサーボループをオフとし、ジャンプドライブ信号を出力することで、トラックジャンプ動作を実行させる。さらに、光学ブロックサーボ回路１１１は、トラッキングエラー信号の低域成分として得られるスレッドエラー信号や、システムコントローラ１１０からのアクセス実行制御などに基づいてスレッドドライブ信号を生成し、スレッドドライバ１１５によりスレッド機構１０３を駆動する。
【００３０】
スピンドルサーボ回路１１２はスピンドルモータ１０２をＣＬＶ回転させる制御を行う。スピンドルサーボ回路１１２は、ウォブル信号に対するＰＬＬで生成されるクロックを、現在のスピンドルモータ１０２の回転速度情報として得、これを所定のＣＬＶ基準速度情報と比較することで、スピンドルエラー信号を生成する。さらに、データ再生時においては、データ検出処理部１０５内のＰＬＬによって生成される再生クロックが、現在のスピンドルモータ１０２の回転速度情報となるため、これを所定のＣＬＶ基準速度情報と比較することでスピンドルエラー信号が生成される。そして、スピンドルサーボ回路１１２は、スピンドルエラー信号に応じて生成したスピンドルドライブ信号を出力し、スピンドルドライバ１１７によりスピンドルモータ１０２のＣＬＶ回転を実行させる。
【００３１】
スピンドルサーボ回路１１２は、システムコントローラ１１０からのスピンドルキック／ブレーキ制御信号に応じてスピンドルドライブ信号を発生させ、スピンドルモータ１０２の起動、停止、加速、減速などの動作も実行させる。
【００３２】
以上のようなサーボ系および記録再生系の各種動作はマイクロコンピュータによって形成されたシステムコントローラ１１０により制御される。システムコントローラ１１０は、ホストインターフェース１０８を介して与えられるホスト機器２００からのコマンドに応じて各種処理を実行する。例えばホスト機器２００から書込命令（ライトコマンド）が出されると、システムコントローラ１１０は、まず書き込むべきアドレスに光ピックアップ１０１を移動させる。そしてエンコード／デコード部１０７により、ホスト機器２００から転送されてきたデータ（例えばビデオデータやオーディオデータ等）について上述したようにエンコード処理を実行させる。そして、エンコードされたデータに応じてレーザドライバ１１３がレーザ発光を駆動することで記録が実行される。
【００３３】
さらに、例えばホスト機器２００から、光ディスク１００に記録されている或るデータの転送を求めるリードコマンドが供給された場合は、システムコントローラ１１０はまず指示されたアドレスを目的としてシーク動作制御を行う。すなわち、光学ブロックサーボ回路１１１に指令を出し、シークコマンドにより指定されたアドレスをターゲットとする光ピックアップ１０１のアクセス動作を実行させる。その後、その指示されたデータ区間のデータをホスト機器２００に転送するために必要な動作制御を行う。すなわち、光ディスク１００からのデータ読出を行い、データ検出処理部１０５、エンコード／デコード部１０７における再生処理を実行させ、要求されたデータを転送する。
【００３４】
なお、図１の例は、ホスト機器２００に接続される光ディスク装置として説明したが、光ディスク装置としては他の機器に接続されない形態もあり得る。その場合は、操作部や表示部が設けられたり、データ入出力のインターフェース部位の構成が、図１とは異なるものとなる。つまり、ユーザーの操作に応じて記録や再生が行われると共に、各種データの入出力のための端子部が形成されればよい。もちろん光ディスク装置の構成例としては他にも多様に考えられる。
【００３５】
「光ピックアップ」
次に、上述した光ディスク装置に用いられる光ピックアップ１０１について、図２を用いて説明する。光ピックアップ１０１は、例えば波長λが４０５ｎｍのレーザ光（ビーム）を用いて、光ディスク１００に情報を記録し、光ディスク１００から情報を再生する。レーザ光は、半導体レーザ（ＬＤ：Laser Diode)１から出射される。
【００３６】
レーザ光がコリメータレンズ２と、偏光ビームスプリッタ（ＰＢＳ：Polarizing Beam Splitter）３と、対物レンズ４とを通過して光ディスク１００上に照射される。偏光ビームスプリッタ３は、例えばＰ偏光を略々１００％透過させ、Ｓ偏光を略々１００％反射する分離面を有する。光ディスク１００の記録層からの反射光は同じ光路を戻り、偏光ビームスプリッタ３へと入射する。図示しないλ／４素子を介在させることによって、入射したレーザ光は偏光ビームスプリッタ３で略１００％反射される。
【００３７】
偏光ビームスプリッタ３で反射されたレーザ光は、レンズ５を介してフォトディテクタ６の受光面に集光される。フォトディテクタ６は、受光面上に、入射した光を光電変換する受光セルを有する。受光セルは、一例として、光ディスク１００のタンジェンシャル方向（トラック方向）を３分割する分割線によって３つの領域Ａ、Ｂ、Ｃに分割されている。フォトディテクタ６は、受光セルのそれぞれの領域Ａ、Ｂ、Ｃへの受光量に応じた３個の電気信号を出力する。なお、領域の分割の方法の例の詳細については後述する。なお、図２の光ピックアップ１０１の構成は、本開示を説明するための最小限の構成要素を示しており、マトリクス回路１０４を介して光学ブロックサーボ回路１１１に出力されるフォーカスエラー信号、トラッキングエラー信号や、マトリクス回路１０４を介してウォブル信号処理回路１０６に出力されるプッシュプル信号を生成するための信号等は省略されている。その他、図２に示す構成以外の種々の構成が可能である。
【００３８】
さらに、光ディスク１００からの戻りビームの光束の断面を複数の領域に分割して、各領域に対応する再生情報信号を得る。領域毎の再生情報信号を得る方法としては、フォトディテクタ６を分割する方法以外の方法を使用できる。例えば、対物レンズ４を通過し、フォトディテクタ６に至る光路中に、複数の領域を分離するための光路変換素子を配置し、光路変換素子によって分離された複数のビームを異なるフォトディテクタに供給する方法を使用しても良い。光路変換素子としては、ホログラフィック光学素子等の回折素子や、マイクロレンズアレイ、マイクロプリズム等の屈折素子等を使用することができる。
【００３９】
「データ検出処理部」
上述したように、光ピックアップ１０１により光ディスク１００から再生され、領域Ａ〜Ｃのそれぞれの検出信号がマトリクス回路１０４に供給され、各領域に対応する再生情報信号とされる。データ検出処理部１０５は、図３に示すように、マトリクス回路１０４から供給される再生情報信号が供給されるＡ／Ｄコンバータ１１を有する。Ａ／Ｄコンバータ１１に対するクロックがＰＬＬ１２によって形成される。マトリクス回路１０４から供給される再生情報信号は、Ａ／Ｄコンバータ１１でデジタルデータに変換される。領域Ａ〜Ｃのデジタル化された再生情報信号をＳａ〜Ｓｃと表記する。ＰＬＬ１２には、再生情報信号Ｓａ〜Ｓｃを加算回路１７によって加算した信号が供給される。
【００４０】
さらに、データ検出処理部１０５は、多入力適応イコライザ部１３、２値化検出器１４、ＰＲ畳込器１５、等化誤差演算器１６を有する。
多入力適応イコライザ部１３は、再生情報信号Ｓａ〜Ｓｃに対してそれぞれＰＲ適応等化処理を行う。すなわち、再生情報信号Ｓａ〜Ｓｃが目標とするＰＲ波形に近似するように等化される。各等化出力が加算されて等化信号ｙ０が出力される。
なお、ＰＬＬ１２へ入力する信号として、多入力適応イコライザ部の出力を用いても良い。この場合には、多入力適応イコライザの初期係数をあらかじめ定められた値に設定しておく。
【００４１】
２値化検出器１４は例えばビタビデコーダとされ、ＰＲ等化された等化信号ｙ０に対して最尤復号処理を行って２値化データＤＴを得る。この２値化データＤＴは、図１に示したエンコード／デコード部１０７に供給されて再生データ復調処理が行われることになる。ビタビ復号は、所定の長さの連続ビットを単位として構成される複数のステートと、それらの間の遷移によって表されるブランチで構成されるビタビ検出器が用いられ、全ての可能なビット系列の中から、効率よく所望のビット系列を検出するように構成されている。
【００４２】
実際の回路では、各ステートに対してパスメトリックレジスタとよばれるそのステートに至るまでのパーシャルレスポンス系列と信号のパスメトリックを記憶するレジスタ、パスメモリレジスタと呼ばれるそのステートにいたるまでのビット系列の流れを記憶するレジスタの２つのレジスタが用意される。さらに、各ブランチに対してはブランチメトリックユニットとよばれるそのビットにおけるパーシャルレスポンス系列と信号のパスメトリックを計算する演算ユニットが用意されている。
【００４３】
このビタビ復号器では、さまざまなビット系列を、ステートを通過するパスのひとつによって一対一の関係で対応付けることができる。また、これらのパスを通過するようなパーシャルレスポンス系列と、実際の信号（再生信号）との間のパスメトリックは、上記のパスを構成するステート間遷移、すなわち、ブランチにおける前述のブランチメトリックを順次加算していくことで得られる。
【００４４】
さらに、パスメトリックを最小にするようなパスを選択するには、この各ステートにおいて到達する２つ以下のブランチが有するパスメトリックの大小を比較しながら、パスメトリックの小さいパスを順次選択することで実現できる。この選択情報をパスメモリレジスタに転送することで、各ステートに到達するパスをビット系列で表現する情報が記憶される。パスメモリレジスタの値は、順次更新されながら最終的にパスメトリックを最小にするようなビット系列に収束していくので、その結果を出力する。
【００４５】
ＰＲ畳込器１５では、下記の式に示すように、２値化結果の畳み込み処理を行って目標信号Ｚｋを生成する。この目標信号Ｚｋは、２値検出結果を畳み込んだものであるためノイズのない理想信号である。例えばＰＲ（１，２，２，２，１）の場合、チャンネルクロック毎の値Ｐが（１，２，２，２，１）となる。拘束長が５である。さらに、ＰＲ（１，２，３，３，３，２，１）の場合、チャンネルクロック毎の値Ｐが（１，２，３，３，３，２，１）となる。拘束長が７である。レーザ光の波長λ＝４０５ｎｍで、対物レンズのＮＡ＝０．８５にて、トラックピッチを０．３２μｍ一定として、容量が３５ＧＢを超える程度に記録密度を高くした場合、パーシャルレスポンスの拘束長５から７に長くして検出能力を高くしないと、検出が難しくなる。なお、下記の式において、ｄは、２値化データを表す。
【００４６】
【数１】
2014207972.tif 000003
【００４７】
等化誤差演算器１６は、多入力適応イコライザ部１３からの等化信号ｙ０と、目標信号Ｚｋから、等化誤差ｅｋを求め、この等化誤差ｅｋを多入力適応イコライザ部１３にタップ係数制御のために供給する。図６に示すように、等化誤差演算器１６は、減算器２５と係数乗算器２６とを備える。減算器２５は、等化信号ｙ０から目標信号Ｚｋを減算する。この減算結果に対して、係数乗算器２６によって所定の係数ａを乗算することで等化誤差ｅｋが生成される。
【００４８】
多入力適応イコライザ部１３は、図４に示すように、適応イコライザユニット２１，２２，２３および加算器２４を有する。上述した再生情報信号Ｓａが適応イコライザユニット２２に入力され、再生情報信号Ｓａが適応イコライザユニット２１に入力され、再生情報信号Ｓｃは適応イコライザユニット２３に入力される。領域分割数が３の場合の多入力適応イコライザ部１３の構成が示されている。領域分割数に対応して適応イコライザユニットが備えられている。
【００４９】
適応イコライザユニット２１，２２，２３の各々は、ＦＩＲ(Finite Impulse Response) フィルタタップ数、その演算精度（ビット分解能）、適応演算の更新ゲインのパラメーターを持ち、各々に最適な値が設定されている。適応イコライザユニット２１，２２，２３の各々には、適応制御のための係数制御値として等化誤差ｅｋが供給される。
【００５０】
適応イコライザユニット２１，２２，２３の出力ｙ１，ｙ２，ｙ３は、加算器２４で加算されて多入力適応イコライザ部１３の等化信号ｙ０として出力される。この多入力適応イコライザ部１３の出力目標は、２値検出結果をＰＲ（パーシャルレスポンス）に畳みこんだ理想ＰＲ波形となっている。
【００５１】
適応イコライザユニット２１は、例えば図５に示すようなＦＩＲフィルタで構成される。適応イコライザユニット２１は、遅延素子３０−１〜３０−ｎ、係数乗算器３１−０〜３１−ｎ、加算器３４を有するｎ＋１段のタップを有するフィルタとされる。係数乗算器３１−０〜３１−ｎは、それぞれ各時点の入力ｘに対してタップ係数Ｃ０〜Ｃｎの乗算を行う。係数乗算器３１−０〜３１−ｎの出力が加算器３４で加算されて出力ｙとして取り出される。
【００５２】
適応型の等化処理を行うため、タップ係数Ｃ０〜Ｃｎの制御が行われる。このために、等化誤差ｅｋと、各タップ入力が入力されて演算を行う演算器３２−０〜３２−ｎが設けられる。また各演算器３２−０〜３２−ｎの出力を積分する積分器３３−０〜３３−ｎが設けられる。演算器３２−０〜３２−ｎのそれぞれでは、例えば−１×ｅｋ×ｘの演算が行われる。この演算器３２−０〜３２−ｎの出力は積分器３３−０〜３３−ｎで積分され、その積分結果により係数乗算器３１−０〜３１−ｎのタップ係数Ｃ０〜Ｃｎが変更制御される。なお、積分器３３−０〜３３−ｎの積分を行うのは、適応係数制御の応答性を調整するためである。
【００５３】
以上の構成のデータ検出処理部１０５では、クロストーク等の不要な信号の低減が行われたうえで２値化データの復号が行われることになる。
【００５４】
適応イコライザユニット２２および２３も、適応イコライザユニット２１と同様の構成を有する。適応イコライザユニット２１，２２，２３に対して共通の等化誤差ｅｋが供給されて適応等化が行われる。すなわち、適応イコライザユニット２１，２２，２３では、再生情報信号Ｓａ、Ｓｂ、Ｓｃの入力信号周波数成分の誤差、位相歪みを最適化、すなわち適応ＰＲ等化をおこなう。すなわち、演算器３２−０〜３２−ｎでの−１×ｅｋ×ｘの演算結果に応じてタップ係数Ｃ０〜Ｃｎが調整される。このことは、等化誤差を解消していく方向にタップ係数Ｃ０〜Ｃｎが調整されることである。
【００５５】
このように、適応イコライザユニット２１，２２，２３では、等化誤差ｅｋを用いてタップ係数Ｃ０〜Ｃｎが、目標の周波数特性となる方向に適応制御される。適応イコライザユニット２１，２２，２３の出力ｙ１，ｙ２，ｙ３が加算器２４で加算されて得られる多入力適応イコライザ部１３の等化信号ｙ０は、クロストーク等が低減された信号となる。
【００５６】
「領域分割の第１の例」
上述した説明では、光ディスク１００から戻るビームの光束の断面の領域を３分割しているが、本開示は、３分割以外の分割数であっても再生情報信号の品質を高くすることができ、クロストークをキャンセルすることができる。領域分割の第１の例について、図７を参照して説明する。
【００５７】
図７Ａは、ビームを領域Ａと領域Ｂ（＝Ｂ１＋Ｂ２）との二つに分割する例である。図７Ｂは、ビームを領域Ａと領域Ｂ（＝Ｂ１＋Ｂ２）と領域Ｃ（＝Ｃ１＋Ｃ２）との３個に分割する例である。図７Ｃは、ビームを領域Ａと領域Ｂ（＝Ｂ１＋Ｂ２）と領域Ｃ（＝Ｃ１＋Ｃ２）と領域Ｄ（＝Ｄ１＋Ｄ２）との４個に分割する例である。図７Ｄは、ビームを領域Ａと領域Ｂ（＝Ｂ１＋Ｂ２）と領域Ｃ（＝Ｃ１＋Ｃ２）と領域Ｄ（＝Ｄ１＋Ｄ２）と領域Ｅ（＝Ｅ１＋Ｅ２）との５個に分割する例である。図７Ｅは、ビームを領域Ａと領域Ｂ（＝Ｂ１＋Ｂ２）と領域Ｃ（＝Ｃ１＋Ｃ２）と領域Ｄと領域Ｅ（＝Ｅ１＋Ｅ２）と領域Ｆとの６個に分割する例である。なお、以下の他の実施例も含めて、領域分割図の上下方向が戻り光束のタンジェンシャル方向、左右方向がラジアル方向にそれぞれ対応している。
【００５８】
これらの領域分割のそれぞれに関しての再生性能のシミュレーション結果について説明する。シミュレーションは、下記の光ディスク再生系の例１を対象として行われる。
例１：面記録密度（直径１２０mmディスク）：４５ＧＢ、記録線密度：0.0532μｍ/ channel bit、トラックピッチ：０．２５μｍ（ランド／グルーブ記録）、ＮＡ：０．９１、λ：４０５ｎｍ、ＰＲ（１，２，２，２，１）
例１の高密度光ディスクは、ＢＤ相当のトラックピッチで３５ＧＢである。なお、ＢＤ相当のトラックピッチとは、ブルーレイディスクのトラックピッチ〔０．３２μｍ）の条件下において１つの記録層の容量が３５ＧＢとなるという意味である。
【００５９】
「再生性能」
図８のグラフは、領域分割なしの場合、２分割の場合、３分割の場合のそれぞれのシミュレーション結果を示す。グラフ中の「３分割0604」「２分割0604」はそれぞれ、図７Ａ、図７Ｂの領域分割位置が、半径を１としたときにラジアル方向に±0.6の位置、タンジェンシャル方向に±0.4の位置であることを表している。比較例として、領域分割と適応イコライザユニットによる適応処理を行っていない場合の再生（１Trk  ｉ−ＭＬＳＥと表記する）と、特開２０１２−０７９３８５号公報に 記載されている３トラックの再生情報信号を使用する再生（３Trk  ｉ−ＭＬＳＥと表記する）とを挙げている。
【００６０】
図８のグラフの横軸は、波長によって正規化されたデフォーカス量である。０の値がデフォーカス量が０を意味している。実際の再生時には、デフォーカスが発生するので、デフォーカスに対してのマージンを持つことが必要とされる。
【００６１】
図８のグラフの縦軸は、再生性能を表すための指標である。指標として、ｉ−ＭＬＳＥの値が使用される。ＭＬＳＥ(Maximum Liklihood Sequence Error)は、ビタビ検出されたデータを用いて設定されるターゲットレベルに対して実際の信号のレベルの差を用いて、エラー確率に対応した指標を計算したものである。ＢＤＸＬ（登録商標）の場合では、ｉ−ＭＬＳＥという方法を用いて、いくつかのエラーを引き起こしやすいデータパターンに重みを付けして計算が行われる。
【００６２】
なお、ＢＤＸＬ（登録商標）に比してより記録密度を高くした場合には、エラーを引き起こしやすいデータパターンが異なってくる。その結果、従来の信号指標値であるｉ−ＭＬＳＥの誤差が問題となってくる。そこで、本開示においては、より高い線密度での信号指標値の精度改善のために必要となる、新たなデータパターンを追加した、ｉ−ＭＬＳＥとは別の信号評価値を効果の説明のために用いている。以下、精度が改善された新たな指標値をｅ−ＭＬＳＥと呼ぶ。
【００６３】
ｅ−ＭＬＳＥにおいて追加されたデータパターンは以下の３種となる。
パターン列の１が記されているビットが、検出パターンに対し、誤りパターンでビット反転が起こる箇所を示している。
【００６４】
追加パターン（１）：１０１１１１０１
追加パターン（２）：１０１１１１０１１１１０１
追加パターン（３）：１０１１１１００１１１１０１
【００６５】
ちなみに、ｉ−ＭＬＳＥの精度が十分な従来のＢＤＸＬ（登録商標）と同等の線密度ではｅ−ＭＬＳＥとｉ−ＭＬＳＥは、ほぼ一致し、より高い線密度において誤差改善の分の差分が現れる。実用で重要となるエラーレートに対する指標値の理論上の相関関係は両者で同一となっている。したがって、演算上の違い、適用線密度の範囲の違いはあるものの、両者の示す信号品質の評価値は同じ感覚でとらえて構わない。
【００６６】
なお、後述するように、本開示の一実施の形態では、光ディスクとして容量が異なる２種類のものを想定している。容量が小さい方の光ディスクの再生性能の評価のための指標として、ｉ−ＭＬＳＥを主として使用し、容量が大きい方の光ディスクの再生性能の評価のための指標としてｅ−ＭＬＳＥを主として使用する。なお、本開示においては、これらの指標以外の指標を使用しても良い。
【００６７】
上述した（正規化されたデフォーカス量対指標）のグラフにおいて、ｉ−ＭＬＳＥまたはｅ−ＭＬＳＥの値が小さいほど再生性能が高いことを意味する。図８から分かるように、分割なしの場合に比して、２分割、３分割と分割数を増すほど性能を向上できる。２分割の場合でも、指標ｉ−ＭＬＳＥを下げることができる。しかしながら、２分割の場合は、（３Trk  i-ＭＬＳＥ）と比較すると、ボトムの指標の値が大きいことと、デフォーカスのマージンが狭い。一例として、ｉ−ＭＬＳＥまたはｅ−ＭＬＳＥの値がほぼ０．１５以下であることが好ましい。したがって、デフォーカスマージンは、ｉ−ＭＬＳＥまたはｅ−ＭＬＳＥの値がほぼ０．１５以下となる範囲の幅と対応している。この幅が大きいほど、デフォーカスマージンが大である。
【００６８】
図９のグラフは、領域分割なしの場合、３分割の場合、４分割の場合のそれぞれのシミュレーション結果を示す。比較例として、（１Trk  ｉ−ＭＬＳＥ）と、（３Trk  ｉ−ＭＬＳＥ）とを挙げている。グラフ中の「４分割xb0604065」は、図７Cの領域分割位置が、半径を１としたときにラジアル方向に±0.6の位置、タンジェンシャル方向に±0.4および±0.65の位置であることを表している。図９から分かるように、３分割に比して４分割の場合には、ボトムの指標をより小さくできる。
【００６９】
図１０のグラフは、領域分割なしの場合、４分割の場合、５分割の場合、６分割の場合のそれぞれのシミュレーション結果を示す。比較例として、（１Trk  ｉ−ＭＬＳＥ）と、（３Trk  ｉ−ＭＬＳＥ）とを挙げている。グラフ中の「５分割0604065」「６分割0604065」は、図７Ｄおよび図７Ｅの領域 分割位置が、半径を１としたときにラジアル方向に±0.6の位置、タンジェンシャル方向に±0.4および±0.65の位置であることを表している。図１０から分かるように、分割数を多くすると、緩やかな改善を行うことができる。
【００７０】
また、他の実施例も含めて、マージンとして重要となるデフォーカスマージンに関する改善効果を示しているが、他にも、ディスクのスキューに対するマージンも重要である。この領域分割の第１の例に対応して、図１１にディスクのタンジェンシャル方向のスキューに対応した３次コマ収差Ｗ３１（波長で正規化された収差係数）に対するマージンを示す。図１２にディスクのラジアル方向のスキューに対応した３次コマ収差Ｗ３１に対するマージンを示す。比較例として同様に、（１Trk  ｉ−ＭＬＳＥ）と、（３Trk  ｉ−ＭＬＳＥ）とを挙げている。図１１および図１２からわかるように、（３Trk  ｉ−ＭＬＳＥ）と比較しても遜色ないマージンが得られているとともに、分割数を多くすると、緩やかな改善を行うことができることがわかる。
【００７１】
「領域分割の第２の例と再生性能」
図１３Ａは、タンジェンシャル方向およびラジアル方向にビームを４分割して、領域Ａ〜Ｄを形成する分割方法を示す。図１３Ｂは、同様に、タンジェンシャル方向と一致する２本の平行線と、ラジアル方向と一致する２本の平行線でビームを９分割して、対称的な位置の二つの領域（Ｃ１、Ｃ２）、（Ｄ１、Ｄ２）、（Ｅ１、Ｅ２）を一つの領域とみなして６個の領域Ａ〜Ｆを形成する分割方法を示す。
【００７２】
図１３Ｃのグラフは、これらの領域分割を行った場合の再生性能を表している。指標として、ｉ−ＭＬＳＥの値が使用される。図１３Ａ（４分割）および図１３Ｂ（６分割）のそれぞれも、指標のボトムの値を小さくでき、また、デフォーカスマージンを広くすることができる。
【００７３】
さらに、領域分割のそれぞれに関しての再生性能のシミュレーション結果について説明する。シミュレーションは、下記の光ディスクの例２を対象として行われる。例２に示す光ディスクは、例１の光ディスクに比してより狭いトラックピッチとされたもので、より高密度のものである。より高密度においても、領域分割およびその分割パターンにより、再生特性が変化、改善することを示す。
【００７４】
例２：面記録密度（直径１２０mmディスク）：６３．８ＧＢ、記録線密度：0.0446μm/ch bit、トラックピッチ：０．２１μｍ（ランド／グルーブ記録）、ＮＡ：０．９１、λ：４０５ｎｍ、ＰＲ（１，２，３，３，３，２，１）
例２の高密度光ディスクは、ＢＤ相当のトラックピッチで４１．８ＧＢである。
【００７５】
「領域分割の第３の例と再生性能」
図１４Ａは、トラック方向に対して±４５°の傾きを有する分割線によって菱形状の４分割を行い、領域Ａ〜Ｄを形成する方法を示す。このような領域分割を行った場合のシミュレーション結果のグラフを図１４Ｂに示す。
【００７６】
図１４Ｂは、図１４Ａに示す領域分割を行った場合のシミュレーションの結果を示すグラフである。指標としてｅ−ＭＬＳＥを使用している。図１４Ｂにおいては、領域分割をしない従来の再生方法を（１Trk  ｅ−ＭＬＳＥ）と表記し、図１４Ａに示すような４分割の方法を用いた再生方法を（ＣＴＣ４）と表記し、３トラックを使用する先に提案された再生方法を（３Trk  ｅ−ＭＬＳＥ）と表記している。図１４Ｂのシミュレーション結果から分かるように、図１４Ａに示す分割方法を使用した場合、指標のボトム値を充分下げることができ、また、ある程度の幅のデフォーカスマージンを持つことができる。
【００７７】
図１４に示す領域分割を行い、上述した適応イコライザ処理を行って得られる信号Ｓｎは、下記の式で表される。ａ〜ｄは、それぞれ領域Ａ〜Ｄに含まれるデータを表している。
【００７８】
【数２】
2014207972.tif 000004
【００７９】
「領域分割の第４の例と再生性能」
図１５Ａは、領域分割方法の第４の例を示し、図１５Ｂがシミュレーション結果のグラフを示す。図１５Ａに示すビームの光束の断面は、対物レンズ４の瞳の形状に応じたものとなる。例えば円形のビームの図１５Ａにおける縦方向がタンジェンシャル方向であり、横方向がラジアル方向である。なお、光ディスクからの反射光の±１次光が０次光と重なり合う領域も示されている。
【００８０】
ラジアル方向に延長する平行する２本の線によってタンジェンシャル方向を３分割するように領域Ａ、Ｂ、Ｃが形成される。さらに、分割のための線は、ビームの中心を通る水平線に対して等しい距離を有する。例えば３０％３分割は、二つの線がそれぞれ中心線に対して±３０％の距離を有することを表している。ビームの円の半径を１とすると、水平方向の中心線に対して±０．３の距離を有する。評価は、線の位置を３０％、３５％、４０％、５０％の４種類に設定した場合について行っている。
【００８１】
さらに、比較例として、適応イコライザユニットによる適応処理を行っていない場合の再生（１Trk  ｅ−ＭＬＳＥ）と、３トラックの再生情報信号を使用する再生（３Trk   ｅ−ＭＬＳＥ）とを使用している。
【００８２】
図１５Ｂのグラフの横軸は、波長によって正規化されたデフォーカス量である。０の値がデフォーカス量が０を意味している。実際の再生時には、デフォーカスが発生するので、デフォーカスに対してのマージンを持つことが必要とされる。
【００８３】
図１５Ｂのグラフの縦軸は、再生性能を表すための指標である。指標として、ｅ−ＭＬＳＥの値が使用される。例１の光ディスクに比して記録密度をより高くした例２の光ディスクの場合には、エラーを引き起こしやすいデータパターンが異なってくるので、考慮するデータパターンの重みを追加した指標がｅ−ＭＬＳＥを使用することが好ましい。
【００８４】
上述した（正規化されたデフォーカス量対指標）のグラフにおいて、ｅ−ＭＬＳＥの値が小さいほど再生性能が高いことを意味する。図１５Ｂから分かるように、本開示の一実施の形態の３分割の例は、（１Trk   ｅ−ＭＬＳＥ）と比較して指標がより小さくなる。（３Trk   ｅ−ＭＬＳＥ）と比較すると、指標の値が大きいことと、デフォーカスのマージンが狭い点で、やや不十分な部分はあるものの、領域分割による改善効果は得られていることがわかる。
【００８５】
「領域分割の第５の例と再生性能」
図１６Ａおよび図１６Ｂは、領域分割方法の第５の例を示し、図１６Ｃがシミュレーション結果のグラフを示す。ラジアル方向に延長する平行する２本の線によってタンジェンシャル方向を３分割すると共に、タンジェンシャル方向に延長する平行する２本の線によってラジアル方向を３分割する。その結果、９個の領域Ａ〜Ｉが形成される。図１６Ａは、分割の間隔がほぼ等しいものとされている。図１６Ｂは、分割線の間隔を広げて中央の領域Ｅの面積が大きくなるような分割を行ったものである。
【００８６】
再生性能のシミュレーションは、図１６Ａおよび図１６Ｂのそれぞれの分割のパターンについて行っている。さらに、比較例として、適応イコライザユニットによる適応処理を行っていない場合の再生（１Trk   ｅ−ＭＬＳＥ）と、３トラックの再生情報信号を使用する再生（３Trkｅ−ＭＬＳＥ）とを使用している。
【００８７】
図１６Ｃのグラフ中の「９分割0303」「９分割0505」は、図１６A,Bの領域分割位置が、半径を１としたときにラジアル方向に±0.3または±0.5の位置、タンジェンシャル方向にも±0.3または±0.5の位置であることを表している。図１６Ｃに示す（正規化されたデフォーカス量対指標）のグラフから分かるように、分割数を９分割に増やすことによって、３分割に比して指標をより小さくすることができ、また、デフォーカスのマージンをより広くすることができる。
【００８８】
「領域分割の第６の例と再生性能」
図１７Ａは、領域分割方法の第６の例を示し、図１７Ｂがシミュレーション結果のグラフを示す。図１７Ａに示すように、ラジアル方向に延長する平行する２本の線によってタンジェンシャル方向を３分割すると共に、タンジェンシャル方向に延長する平行する２本の線によってラジアル方向を３分割する。その結果、９個の領域Ａ〜Ｉが形成される。
【００８９】
再生性能のシミュレーションは、図１７Ａのパターンについて行っている。さらに、比較例として、適応イコライザユニットによる適応処理を行っていない場合の再生（１Trk   ｅ−ＭＬＳＥ）と、３トラックの再生情報信号を使用する再生（３Trk   ｅ−ＭＬＳＥ）とを使用している。
【００９０】
図１７Ｂのグラフ中の「９分割075025」は、図１７Aの領域分割位置が、半径を１としたときにラジアル方向に±0.75の位置、タンジェンシャル方向にも±0.25の位置であることを表している。図１７Ｂに示す（正規化されたデフォーカス量対指標）のグラフから分かるように、図１７Ａに示すように、ビームを９分割するとともに、分割位置を最適化することによって、３分割に比して指標をより小さくすることができる。さらに、図１６Ａまたは図１６Ｂに示す分割方法と比較して、デフォーカスのマージンをより広くすることができる。
【００９１】
「領域分割の第７の例と再生性能」
図１８Ａは、領域分割方法の第７の例を示し、図１８Ｂがシミュレーション結果のグラフを示す。図１７Ａに示すように、ラジアル方向に延長する平行する２本の線によってタンジェンシャル方向を３分割すると共に、タンジェンシャル方向に延長する平行する２本の線によってラジアル方向を３分割する。その結果、９個の領域が形成される。９個の領域のように、領域の数が多いことは、回路規模が大きくなったり、Ｓ／Ｎの点で不利となる。
【００９２】
そこで、図１８Ａに示すように、外側の２個の領域（Ａ１，Ａ２）（Ｃ１，Ｃ２）（Ｄ１，Ｄ２）をまとめることによって、ラジアル方向を実質的に２分割とし、結果として６個の領域Ａ〜Ｆを形成する。
【００９３】
再生性能のシミュレーションは、前述の図１７Ａのパターンと図１８Ａのパターンとについて行っている。さらに、比較例として、適応イコライザユニットによる適応処理を行っていない場合の再生（１Trk   ｅ−ＭＬＳＥ）と、３トラックの再生情報信号を使用する再生（３Trk   ｅ−ＭＬＳＥ）とを使用している。
【００９４】
図１８Ｂのグラフ中の「６分割075025」は、図１８Ａの領域分割位置が、半径を１としたときにラジアル方向に±0.75の位置、タンジェンシャル方向にも±0.25の位置であることを表している。図１８Ｂに示す（正規化されたデフォーカス量対指標）のグラフから分かるように、図１８Ａに示すように、ビームを６分割する方法は、９分割する方法と実質的に同等の性能を得ることができる。
【００９５】
「領域分割の複数のパターン」
図１８Ａに示すように、外側の二つの領域をまとめて領域数を減少させる分割方法の他の例を図１９に示す。図１９Ａは、ラジアル方向で外側の２個の領域（Ｃ１，Ｃ２，Ｃ３，Ｃ４）（Ｄ１，Ｄ２）（Ｅ１，Ｅ２）をまとめると共に、タンジェンシャル方向の上下の２つの領域（Ｂ１，Ｂ２）をまとめる。その結果、４個の領域が形成される。
【００９６】
図１９Ｂは、図１９Ａにおける領域（Ｃ３，Ｃ４）を別の領域（Ｅ１，Ｅ２）として５個の領域を形成する例である。図１９Ｃは、Ａ、（Ｂ１，Ｂ２）（Ｃ１〜Ｃ４）の３個の領域分割を行う例である。図１９Ｄは、Ａ、Ｂ、（Ｃ１，Ｃ２）（Ｄ１，Ｄ２）（Ｅ１，Ｅ２）Ｆの６個の領域を形成する例である。
【００９７】
図１９Ａ〜図１９Ｄのそれぞれの分割方法と対応するシミュレーション結果を図２０に示す。比較例として、適応イコライザユニットによる適応処理を行っていない場合の再生（１Trk   ｅ−ＭＬＳＥ）と、３トラックの再生情報信号を使用する再生（３Trk   ｅ−ＭＬＳＥ）とを使用している。グラフ中の「３分割075025075」「４分割075025075」「５分割075025075」「６分割075025」は、図１９Ａ、図１９Ｂおよび図１９Ｃの領域分割位置が、半径を１としたときにラジアル方向に±0.75の位置、タンジェンシャル方向に±0.25および±0.75の位置であること、図１９Ｄの領域分割位置が、半径を１としたとき にラジアル方向に±0.75の位置、タンジェンシャル方向に±0.25の位置であることを表している。
【００９８】
図２０に示す（正規化されたデフォーカス量対指標）のグラフから分かるように、５分割の方法は、６分割する方法と実質的に同等の性能を得ることができる。
【００９９】
以上においては、主に本開示の、トラックピッチを狭くした場合における改善効果について述べてきた。しかしながら、本開示はそれにとどまらず、チャンネルビット長すなわちマーク長を短くし、線密度方向に 高密度化をはかることによって光ディスクの高密度化をはかることにおいても、格別の効果があることを次に示す。
【０１００】
従来のＢＤ（登録商標）およびＢＤＸＬ（登録商標）との比較を容易にするために、上述した例とは異なり、ＢＤ（登録商標）およびＢＤＸＬ（登録商標）に対応したＮＡ＝０．８５に固定し、また、トラックピッチも０．２２５μｍ（グルーブ、ランドそれぞれ）に 固定した。その状態で、チャンネルビット長を変化させ線密度を変化させた場合について、1Trkそのまま、3Trk演算、５分割(タンジェンシャル方向は内外のみの分割）、６分割(Tan方向に3分割）それぞれについてＰＲ(1,2,2,2,1)を用い、指標をｉ−ＭＬＳＥとした場合の結果を図２１に示す。ＰＲ(1,2,3,3,3,2,1)を用い指標をｅ−ＭＬＳＥとした場合の結果を図２２に示す。
【０１０１】
グラフ中の「５分割075025065」「６分割075025065」は、図の領域分割位置が、半径を１としたときにラジアル方向に±0.75の 位置、タンジェンシャル方向に±0.25および±0.65の位置であることを表している。また、横軸は線密度を、トラックピッチをＢＤ（登録商標）と同じ０．３２μｍとした場合の面密度に換算して表している。
【０１０２】
図２１から分かるように、（３Trk ｉ−ＭＬＳＥ）に対して、「６分割075025065」では、より高い線密度 まで、特性劣化の少ない状態で信号再生できていることがわかる。タンジェンシャル方向に内外で分割している「５分割075025065」のほうは、（３Trk ｉ−ＭＬＳＥ）と同様な傾向を示していることからも分かるように、この高線密度化の効果は、タンジェンシャル方向に領域中心の異なる領域分割を行っていることに起因するものであることがわかる。さらに図２２からわかるように、その効果はより高線密度の状態、高いクラスのＰＲにおいても同様である。
【０１０３】
なお、本開示は、以下のような構成も取ることができる。
（１）
複数トラックが形成される光媒体を光学的に再生する光媒体再生装置であって、
光媒体から戻る、ビームの断面を複数の領域に分割し、前記複数の領域のそれぞれの検出信号を形成する検出部と、
前記複数の領域のそれぞれの検出信号が複数の適応イコライザユニットにそれぞれ入力され、複数の前記適応イコライザユニットの出力を演算して等化信号として出力する多入力適応イコライザ部と、
前記等化信号について２値化処理を行って２値データを得る２値化部と、
前記２値化部の２値検出結果に基づいて得られる等化目標信号と、前記多入力適応イコライザ部から出力される等化信号とから等化誤差を求め、該等化誤差を、前記適応イコライザユニットに適応等化のための制御信号として供給する等化誤差演算部と
を有する光媒体再生装置。
（２）
前記多入力適応イコライザ部は、前記複数の領域のそれぞれの検出信号についてパーシャルレスポンス等化処理を行い、
前記２値化部は、前記多入力適応イコライザ部の等化信号についての２値化処理として最尤復号処理を行い、
前記等化誤差演算部は、前記最尤復号による２値検出結果の畳込処理で得られる等化目標信号と、前記多入力適応イコライザ部から出力される等化信号とを用いた演算により等化誤差を求める（１）に記載の光媒体再生装置。
（３）
前記検出部は、前記複数の領域と対応して分割されたディテクタを有し、
前記光検出器から前記複数の領域の検出信号を取り出すようになされた（１）（２）の何れかに記載の光媒体再生装置。
（４）
対物レンズを通過し、ディテクタに至る光路中に、前記複数の領域を分離するための光路変換素子を配置し、前記光路変換素子によって分離された複数のビームを異なるディテクタにそれぞれ入力する（１）乃至（３）の何れかに記載の光媒体再生装置。
（５）
前記ビームを断面方向に３以上に分割する（１）乃至（４）の何れかに記載の光媒体再生装置。
（６）
前記光媒体は、ランドおよびグルーブが交互に形成されており、
前記ランドおよび前記グルーブの両方に情報を記録する（１）乃至（５）の何れかに記載の光媒体再生装置。
（７）
複数トラックが形成される光媒体を光学的に再生する光媒体再生方法であって、
光媒体から戻る、ビームの断面を複数の領域に分割し、検出部によって前記複数の領域のそれぞれの検出信号を形成し、
前記複数の領域のそれぞれの検出信号を複数の適応イコライザユニットにそれぞれ入力し、複数の前記適応イコライザユニットの出力を演算して等化信号を形成し、
前記等化信号について２値化処理を行って２値データを得、
前記２値化処理の２値検出結果に基づいて得られる等化目標信号と、前記等化信号とから等化誤差を求め、該等化誤差を、前記適応イコライザユニットに適応等化のための制御信号として供給する
光媒体再生方法。
【０１０４】
＜２．変形例＞
以上、本開示の実施の形態について具体的に説明したが、上述の各実施の形態に限定されるものではなく、本開示の技術的思想に基づく各種の変形が可能である。例えば、上述したレーザ光源の波長、トラックピッチ、記録線密度の数値等は、一例であって、他の数値を使用しても良い。さらに、再生性能を評価するための指標としては、上述したもの以外を使用しても良い。さらに、光ディスクに対して記録および再生の一方のみを行う光ディスク装置に対しても本開示を適用できる。
【０１０５】
また、上述の実施の形態の構成、方法、工程、形状、材料および数値などは、本開示の主旨を逸脱しない限り、互いに組み合わせることが可能である。
【符号の説明】
【０１０６】
１３・・多入力適応イコライザ
１４・・・２値化検出器
１５・・・ＰＲ畳込器
２１〜２３・・・適応イコライザユニット
１００・・・光ディスク
１０１・・・光ピックアップ
１０５・・・データ検出処理部
【図１】
2014207972.tif 000005
【図２】
2014207972.tif 000006
【図３】
2014207972.tif 000007
【図４】
2014207972.tif 000008
【図５】
2014207972.tif 000009
【図６】
2014207972.tif 000010
【図７】
2014207972.tif 000011
【図８】
2014207972.tif 000012
【図９】
2014207972.tif 000013
【図１０】
2014207972.tif 000014
【図１１】
2014207972.tif 000015
【図１２】
2014207972.tif 000016
【図１３】
2014207972.tif 000017
【図１４】
2014207972.tif 000018
【図１５】
2014207972.tif 000019
【図１６】
2014207972.tif 000020
【図１７】
2014207972.tif 000021
【図１８】
2014207972.tif 000022
【図１９】
2014207972.tif 000023
【図２０】
2014207972.tif 000024
【図２１】
2014207972.tif 000025
【図２２】
2014207972.tif 000026
【手続補正書】
【提出日】平成26年7月10日(2014.7.10)
【手続補正１】
【補正対象書類名】特許請求の範囲
【補正対象項目名】全文
【補正方法】変更
【補正の内容】
【特許請求の範囲】
【請求項１】
複数トラックが形成される光媒体を光学的に再生する光媒体再生装置であって、
光媒体から戻る、ビームの断面をタンジェンシャル方向に非対称に複数の領域に分割し、前記複数の領域のそれぞれの検出信号を形成する検出部と、
前記複数の領域のそれぞれの検出信号が複数の適応イコライザユニットにそれぞれ入力され、複数の前記適応イコライザユニットの出力を演算して等化信号として出力する多入力適応イコライザ部と、
前記等化信号について２値化処理を行って２値データを得る２値化部と、
前記２値化部の２値検出結果に基づいて得られる等化目標信号と、前記多入力適応イコライザ部から出力される等化信号とから等化誤差を求め、該等化誤差を、前記適応イコライザユニットに適応等化のための制御信号として供給する等化誤差演算部と
を有する光媒体再生装置。
【請求項２】
前記多入力適応イコライザ部は、前記複数の領域のそれぞれの検出信号についてパーシャルレスポンス等化処理を行い、
前記２値化部は、前記多入力適応イコライザ部の等化信号についての２値化処理として最尤復号処理を行い、
前記等化誤差演算部は、前記最尤復号による２値検出結果の畳込処理で得られる等化目標信号と、前記多入力適応イコライザ部から出力される等化信号とを用いた演算により等化誤差を求める請求項１に記載の光媒体再生装置。
【請求項３】
前記検出部は、前記複数の領域と対応して分割されたディテクタを有し、
前記光検出器から前記複数の領域の検出信号を取り出すようになされた請求項１に記載の光媒体再生装置。
【請求項４】
対物レンズを通過し、ディテクタに至る光路中に、前記複数の領域を分離するための光路変換素子を配置し、前記光路変換素子によって分離された複数のビームを異なるディテクタにそれぞれ入力する請求項１に記載の光媒体再生装置。
【請求項５】
前記ビームを断面方向に３以上に分割する請求項１記載の光媒体再生装置。
【請求項６】
前記光媒体は、ランドおよびグルーブが交互に形成されており、
前記ランドおよび前記グルーブの両方に情報を記録する請求項１記載の光媒体再生装置。
【請求項７】
複数トラックが形成される光媒体を光学的に再生する光媒体再生方法であって、
光媒体から戻る、ビームの断面をタンジェンシャル方向に非対称に複数の領域に分割し、検出部によって前記複数の領域のそれぞれの検出信号を形成し、
前記複数の領域のそれぞれの検出信号を複数の適応イコライザユニットにそれぞれ入力し、複数の前記適応イコライザユニットの出力を演算して等化信号を形成し、
前記等化信号について２値化処理を行って２値データを得、
前記２値化処理の２値検出結果に基づいて得られる等化目標信号と、前記等化信号とから等化誤差を求め、該等化誤差を、前記適応イコライザユニットに適応等化のための制御信号として供給する
光媒体再生方法。
【請求項８】
ラジアル方向で両外側の領域を同一チャンネルとして処理する請求項５に記載の光媒体再生装置。
【手続補正書】
【提出日】平成27年3月10日(2015.3.10)
【手続補正１】
【補正対象書類名】特許請求の範囲
【補正対象項目名】全文
【補正方法】変更
【補正の内容】
【特許請求の範囲】
【請求項１】
複数トラックが形成される光媒体を光学的に再生する光媒体再生装置であって、
光媒体から戻る、ビームの断面をタンジェンシャル方向に非対称に複数の領域に分割し、前記複数の領域のそれぞれの検出信号を形成する検出部と、
前記複数の領域のそれぞれの検出信号が複数の適応イコライザユニットにそれぞれ入力され、複数の前記適応イコライザユニットの出力を演算して等化信号として出力する多入力適応イコライザ部と、
前記等化信号について２値化処理を行って２値データを得る２値化部と、
前記２値化部の２値検出結果に基づいて得られる等化目標信号と、前記多入力適応イコライザ部から出力される等化信号とから等化誤差を求め、該等化誤差を、前記適応イコライザユニットに適応等化のための制御信号として供給する等化誤差演算部と
を有し、
分割によって形成される前記複数の領域が４個以上である光媒体再生装置。
【請求項２】
前記多入力適応イコライザ部は、前記複数の領域のそれぞれの検出信号についてパーシャルレスポンス等化処理を行い、
前記２値化部は、前記多入力適応イコライザ部の等化信号についての２値化処理として最尤復号処理を行い、
前記等化誤差演算部は、前記最尤復号による２値検出結果の畳込処理で得られる等化目標信号と、前記多入力適応イコライザ部から出力される等化信号とを用いた演算により等化誤差を求める請求項１に記載の光媒体再生装置。
【請求項３】
前記検出部は、前記複数の領域と対応して分割されたディテクタを有し、
前記光検出器から前記複数の領域の検出信号を取り出すようになされた請求項１に記載の光媒体再生装置。
【請求項４】
対物レンズを通過し、ディテクタに至る光路中に、前記複数の領域を分離するための光路変換素子を配置し、前記光路変換素子によって分離された複数のビームを異なるディテクタにそれぞれ入力する請求項１に記載の光媒体再生装置。
【請求項５】
（削除）
【請求項６】
前記光媒体は、ランドおよびグルーブが交互に形成されており、
前記ランドおよび前記グルーブの両方に情報を記録する請求項１記載の光媒体再生装置。
【請求項７】
複数トラックが形成される光媒体を光学的に再生する光媒体再生方法であって、
光媒体から戻る、ビームの断面をタンジェンシャル方向に非対称に複数の領域に分割し、検出部によって前記複数の領域のそれぞれの検出信号を形成し、
前記複数の領域のそれぞれの検出信号を複数の適応イコライザユニットにそれぞれ入力し、複数の前記適応イコライザユニットの出力を演算して等化信号を形成し、
前記等化信号について２値化処理を行って２値データを得、
前記２値化処理の２値検出結果に基づいて得られる等化目標信号と、前記等化信号とから等化誤差を求め、該等化誤差を、前記適応イコライザユニットに適応等化のための制御信号として供給し、
分割によって形成される前記複数の領域が４個以上である光媒体再生方法。
【請求項８】
ラジアル方向で両外側の領域を同一チャンネルとして処理する請求項１に記載の光媒体再生装置。
【国際調査報告】
2014207972.tif 000027
2014207972.tif 000028